(57)【要約】【課題】高さ方向の制約を考慮しながらデジタルチューナユニットを実装できるようにする。【解決手段】パーソナルコンピュータの筐体１１は上ケース１１１及び下ケース１１２を含む。上ケース１１１のほぼ中央部には、キーボード１３を配置するためのキーボード載置部２１０が形成されている。筐体１１内にはメイン基板２２０が実装されている。メイン基板２２０の上面にはコネクタ２３０が配置されている。コネクタ２３０には、部品２４１及び２４２を含む複数の部品から構成されるデジタルチューナユニット２４４を搭載したサブ基板２４０が装着される。部品２４１の高さは、上記複数の部品の中で最も高い。この部品２４１は、サブ基板２４０がコネクタ２３０に装着されている状態において、筐体１１の上記キーボード載置部２１０から当該キーボード載置部２１０の長手方向に外れた箇所に位置付けられる。【選択図】      図２
2007122625.tif 000002
【特許請求の範囲】
【請求項１】
下ケースと、前記下ケースに結合されると共に、キーボードが載置されるキーボード載置部が設けられた上ケースとを有する筐体と、
前記筐体内に実装されるメイン基板と、
前記メイン基板の上面に配置されたコネクタと、
第１の部品が配置される上面及び第２の部品が配置される下面を有し、前記コネクタと接続されるコネクタ部を有すると共に、前記第１及び第２の部品を含む複数の部品から構成されるデジタルチューナユニットを搭載し、前記メイン基板に平行に前記コネクタに装着されるサブ基板であって、前記第１の部品の高さが前記複数の部品の中で最も高く、且つ前記コネクタ部を介して前記コネクタに装着されている状態において前記第１の部品が前記筐体の前記キーボード載置部から当該キーボード載置部の長手方向に外れた箇所に位置付けられるサブ基板と
を具備することを特徴とする電子機器。
【請求項２】
前記コネクタが、前記筐体の前記キーボード載置部内の位置に対応する前記メイン基板上の位置に配置されていることを特徴とする請求項１記載の電子機器。
【請求項３】
前記サブ基板が前記コネクタに装着されている特定状態において、前記サブ基板の前記上面と前記第１の部品に対応する前記上ケースの内面との間の間隔が前記第１の部品の高さを超えるように、前記コネクタの高さが選定されていることを特徴とする請求項２記載の電子機器。
【請求項４】
前記第２の部品の高さは前記サブ基板の前記下面に配置される部品の中で最も高く、
前記特定状態において、前記メイン基板の前記上面と前記サブ基板の前記下面との間の間隔が前記第２の部品の高さを下回るように、前記コネクタの高さが選定されており、
前記第２の部品は、前記特定状態において、前記サブ基板の前記下面の前記メイン基板から外れる箇所に位置付けられている
ことを特徴とする請求項３記載の電子機器。
【請求項５】
下ケースと、
前記下ケースに結合されると共に、上壁と一対の側部とを有する上ケースと、
前記上ケースに設けられると共に、前記上壁から前記下ケース方向に凹状に形成されたキーボード載置部と、
前記上ケースと前記下ケースとの間に実装されると共に、少なくとも前記キーボード載置部に対応する位置から、前記キーボード載置部と前記一対の側部のうちの一方の側部との間の前記上壁に対応する位置に亘って実装されるメイン基板と、
複数の部品が実装されていると共に、前記複数の部品のうち最も実装高さ寸法が大きい部品が、前記キーボード載置部と前記一対の側部のうちの一方の側部との間に位置する上壁と対向するように前記メイン基板に平行に実装されるサブ基板と、
を具備することを特徴とする電子機器。
【請求項６】
前記サブ基板は、前記上ケースと対向する上面と、前記メイン基板と対向する下面と、前記一対の側部の一方の側部側に位置する端部とを有し、前記複数の部品のうちの１つの部品は前記下面の前記端部に実装されると共に、前記メイン基板よりも前記下ケース方向に突出していることを特徴とする請求項５記載の電子機器。
【発明の詳細な説明】
【技術分野】
【０００１】
本発明は、デジタルチューナユニットを実装した電子機器に関する。
【背景技術】
【０００２】
近年のパーソナルコンピュータの多くは、地上アナログ放送を受信可能なように、地上アナログチューナユニットを搭載している。
【０００３】
また最近は、地上デジタル放送(ISDB-T)やＢＳ放送、海外向けデジタル放送(DVB-T等)のようなデジタル放送が視聴可能なパーソナルコンピュータ、例えばノート型パーソナルコンピュータが要望されている。そのためには、パーソナルコンピュータに、地上デジタルチューナユニットのようなデジタルチューナユニットを実装する必要がある。
【０００４】
デジタルチューナユニットの実装に関する技術は、例えば特許文献１及び２に記載されている。
【特許文献１】特開２００４−２８２２１４号公報
【特許文献２】特開２００１−０４４８７０号公報
【発明の開示】
【発明が解決しようとする課題】
【０００５】
しかしながら、特許文献１及び２に記載された技術は、テレビジョン受像器のようなＡＶ機器に搭載されるデジタルチューナユニットの実装に関するものである。ＡＶ機器では、一般に高さ方向の制約が少ない。このため、特許文献１及び２には、高さ方向の制約がある場合のデジタルチューナユニットの実装については何も記載されていない。
【０００６】
一方、パーソナルコンピュータ、特にノート型パーソナルコンピュータでは、当該コンピュータの本体は薄い矩形状の箱形の筐体を有している。このため、ノート型パーソナルコンピュータの筐体にデジタルチューナユニットを実装するには、高さ方向の制約を考慮する必要がある。ところが最近は、ノート型パーソナルコンピュータの筐体をより薄くすることが要求されている。この要求に応えながらデジタルチューナユニットを実装することは難しい。
【０００７】
本発明は上記事情を考慮してなされたものでその目的は、高さ方向の制約を考慮しながらデジタルチューナユニットを実装できる電子機器を提供することにある。
【課題を解決するための手段】
【０００８】
本発明の１つの観点に係る電子機器は、下ケースと、前記下ケースに結合されると共に、キーボードが載置されるキーボード載置部が設けられた上ケースとを有する筐体と、前記筐体内に実装されるメイン基板と、前記メイン基板の上面に配置されたコネクタと、第１の部品が配置される上面及び第２の部品が配置される下面を有し、前記コネクタと接続されるコネクタ部を有すると共に、前記第１及び第２の部品を含む複数の部品から構成されるデジタルチューナユニットを搭載し、前記メイン基板に平行に前記コネクタに装着されるサブ基板であって、前記第１の部品の高さが前記複数の部品の中で最も高く、且つ前記コネクタ部を介して前記コネクタに装着されている状態において前記第１の部品が前記筐体の前記キーボード載置部から当該キーボード載置部の長手方向に外れた箇所に位置付けられるサブ基板とを具備する。
【０００９】
本発明の他の観点に係る電子機器は、下ケースと、前記下ケースに結合されると共に、上壁と一対の側部とを有する上ケースと、前記上ケースに設けられると共に、前記上壁から前記下ケース方向に凹状に形成されたキーボード載置部と、前記上ケースと前記下ケースとの間に実装されると共に、少なくとも前記キーボード載置部に対応する位置から、前記キーボード載置部と前記一対の側部のうちの一方の側部との間の前記上壁に対応する位置に亘って実装されるメイン基板と、複数の部品が実装されていると共に、前記複数の部品のうち最も実装高さ寸法が大きい部品が、前記キーボード載置部と前記一対の側部のうちの一方の側部との間に位置する上壁と対向するように前記メイン基板に平行に実装されるサブ基板とを具備する。
【発明の効果】
【００１０】
本発明によれば、高さ方向の制約を考慮しながらデジタルチューナユニットを実装できる。
【発明を実施するための最良の形態】
【００１１】
以下、本発明の実施の形態につき図面を参照して説明する。  
まず、図１及び図２を参照して、本発明の一実施形態に係る電子機器の構成について説明する。この電子機器は、例えば、ノートブック型パーソナルコンピュータ１０として実現されている。
【００１２】
図１はノートブック型パーソナルコンピュータ１０のディスプレイユニットを開いた状態における斜視図を示す。このコンピュータ１０は、コンピュータ本体の筐体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。このＬＣＤ１７の表示画面はディスプレイユニット１２のほぼ中央に位置されている。ＬＣＤ１７は例えば１７インチ型の横長の表示画面（ワイド表示画面）を有しており、その表示画面のサイズ（解像度）は例えば１４４０×９００画素である。
【００１３】
ディスプレイユニット１２は、筐体１１に対して開放位置と閉塞位置との間を回動自在に取り付けられている。筐体１１の形状は薄い箱形状である。この筐体１１は、上ケース１１１と下ケース１１２とを有する。上ケース１１１は下ケース１１２に結合される。
【００１４】
筐体１１の上面（つまり上ケース１１１の表面）の中央部後方には、横長のキーボード１３が配置されている。本実施形態においてＬＣＤ１７の表示画面は上記したように横長の１７インチ型である。このため、筐体１１の上面のうち、キーボード１３の長手方向に当該キーボード１３から外れた部分（非キーボード部）１１１ａ及び１１１ｂの当該長手方向に沿う長さは比較的長い。筐体１１の上面のキーボード１３より後方の位置には、コンピュータ１０を電源オン／オフするためのパワーボタン１４及び入力操作パネル１５が配置されている。入力操作パネル１５には、光ディスクドライブの再生・停止やＬＣＤ１７の輝度やスピーカの音量を制御することなどができるボタン１５Ａが一個あるいは複数個、配置されている。
【００１５】
筐体１１の上面を前後にほぼ２等分した前部分、つまりキーボード１３が配置されていない側の部分は、パームレスト１１１ｃをなしている。このパームレスト１１１ｃの中央部には、タッチパッド１６が配置されている。パームレスト１１１ｃに対応する筐体１１内には、充電バッテリ２１、ハードディスクドライブ（ＨＤＤ）２２及び光ディスクドライブ（ＯＤＤ）２３が実装されている。また、筐体１１の上面（上ケース１１１の表面）の非キーボード部１１１ａ及び１１１ｂのうち、例えば右側の非キーボード部１１１ｂに対応する筐体１１内には、地上デジタルチューナユニットのようなデジタルチューナユニット２４４（図２参照）を搭載したサブ基板２４０が実装されている。
【００１６】
図２は、図１におけるＡ−Ａ線に沿う要部の断面図である。図２において、本発明に直接関係しない部分は省略されている。図２に示されるように、筐体１１の上ケース１１１は、上壁２１１と、右側部２１２及び図示せぬ左側部の対（つまり一対の側部）とを有する。上ケース１１１の中央にはキーボード載置部２１０が形成されている。このキーボード載置部２１０は、キーボード１３を配置するために横長の矩形状に形成されており、筐体１１の上面より一段低く（凹状）に形成されている。つまりキーボード載置部２１０は、上ケース１１１の上壁２１１から下ケース１１２の方向に凹状に形成されている。
【００１７】
筐体１１内には、メイン基板２２０が上ケース１１１及び下ケース１１２に平行な水平方向に実装されている。メイン基板２２０はマザーボードと呼ばれ、上面２２１及び下面２２２を有する。メイン基板２２０の上面２２１と上ケース１１１のキーボード載置部２１０の内面２１１との間の間隔はＤ１であるとする。
【００１８】
メイン基板２２０の上面２２１には、コネクタ２３０が配置されている。更に詳細に述べるならば、筐体１１の上ケース１１１のキーボード載置部２１０内の位置に対応（対向）するメイン基板２２０上の位置には、コネクタ２３０が配置されている。
【００１９】
コネクタ２３０には、メイン基板２２０に平行にドーターボードと呼ばれるサブ基板２４０が装着されている。サブ基板２４０はその一端側に、コネクタ２３０と接続されるコネクタ部２４０ａを有する。サブ基板２４０のうち、コネクタ部２４０ａから離れた部分は、筐体１１の上ケース１１１の非キーボード部１１１ｂに位置（対応）付けられている。即ちサブ基板２４０のうち、コネクタ部２４０ａから離れた部分は、上ケース１１１のうちのキーボード載置部２１０の長手方向に当該キーボード載置部２１０から外れた部分に位置付けられている。ここでは、サブ基板２４０のコネクタ部２４０ａとは反対側の端部は、筐体１１の右側面近傍まで延びている。
【００２０】
サブ基板２４０には、第１の部品２４１、第２の部品２４２及び第３の部品２４３を含む複数の部品から構成されるデジタルチューナユニット２４４が搭載されている。サブ基板２４０は、部品２４１及び２４３を含む複数の部品が配置される上面２４５と、部品２４２を含む複数の部品が配置される下面２４６とを有する。部品２４１は、サブ基板２４０のコネクタ部２４０ａから離れた位置に配置される。これに対して部品２４３は、サブ基板２４０のコネクタ部２４０ａの近傍に配置されている。
【００２１】
サブ基板２４０がコネクタ２３０に装着されている状態において、サブ基板２４０の上面２４５とコネクタ２３０の上面との距離、及びサブ基板２４０の下面２４６とコネクタ２３０の下面との距離（つまりサブ基板２４０の下面２４６とメイン基板２２０の上面２２１との間の間隔）は、いずれもＤ２であるとする。コネクタ２３０の高さＨ０は、サブ基板２４０の厚みをＴｓとすると、次式
Ｈ０＝２Ｄ２＋Ｔｓ                    （１）
で表される。ここで、コネクタ２３０の高さ（厚み）Ｈ０（＝２Ｄ２＋Ｔｓ）は次式
Ｈ０＜Ｄ１                            （２）
に示す制約を受ける。本実施形態において、Ｈ０＝４．０ｍｍ、Ｄ１＝４．５ｍｍ、Ｄ２＝１．５ｍｍ、Ｔｓ＝１．０ｍｍである。この場合、Ｈ０＝４．０ｍｍは、上記式（１）の制約を満足する。
【００２２】
部品２４１の高さＨ１は、サブ基板２４０に配置されている全ての部品の中で最も高く、例えば６．８ｍｍである。つまり部品２４１は、サブ基板２４０に配置されている全ての部品の中で最も実装高さ寸法が大きい部品である。部品２４１の高さ（厚み）Ｈ１は、サブ基板２４０がコネクタ２３０に装着されている状態（以下、特定状態と称する）において、当該サブ基板２４０の上面２４５と上ケース１１１のキーボード載置部２１０の上壁２１１との間の間隔を超えてるものとする。また、部品２４１の高さＨ１は、上記特定状態において、サブ基板２４０の上面２４５とキーボード載置部２１０から外れた上ケース１１１の上壁２１１（つまり非キーボード部１１１ｂの上壁２１１）との間隔よりは低いものとする。つまり、サブ基板２４０の上面２４５とキーボード載置部２１０から外れた上ケース１１１の上壁２１１との間隔は、部品２４１の高さＨ１を超えているものとする。そこで部品２４１は、サブ基板２４０の上面２４５のうち、当該サブ基板２４０のコネクタ部２４０ａから離れた箇所に配置される。これにより部品２４１は、上記特定状態において、上ケース１１１のキーボード載置部２１０から当該キーボード載置部２１０の長手方向に外れた箇所に位置付けられる。更に具体的に述べるならば、部品２４１は上記特定状態において、キーボード載置部２１０と側部２１２との間（つまり非キーボード部１１１ｂ）に位置する上壁２１１と対向する箇所に位置付けられる。
【００２３】
ここで、キーボード載置部２１０の上壁２１１と非キーボード部１１１ｂの上壁２１１との間隔をＤ３とする。この場合、部品２４１を含むデジタルチューナユニット２４４が搭載されたサブ基板２４０を実装可能とするためには、次式
Ｄ１＋Ｄ３＞Ｄ２＋Ｔｓ＋Ｈ１          （３）
を満足する必要がある。したがってコネクタ２３０の高さ（厚み）Ｈ０は、上記式（１）及び（３）から、次式
Ｈ０＜２（Ｄ１＋Ｄ３−Ｈ１）−Ｔｓ    （４）
に示す制約も受ける。本実施形態においてＤ３＝５．６ｍｍである。この場合、Ｈ０＝４．０ｍｍは、上記式（４）の制約を満足する。
【００２４】
一方、部品２４３は、サブ基板２４０の上面２４５のうち、当該サブ基板２４０のコネクタ部２４０ａの近傍に配置されている。この部品２４３は、上記特定状態において、筐体１１の上ケース１１１のキーボード載置部２１０に対応（対向）する箇所に位置付けられる。この部品２４３を含むデジタルチューナユニット２４４が搭載されたサブ基板２４０を実装可能とするためには、メイン基板２２０の上面２２１から部品２４３の上面までの距離（Ｄ２＋Ｔｓ＋Ｈ３）が次式
Ｄ２＋Ｔｓ＋Ｈ３＜Ｄ１                （５）
を満足する必要がある。したがってコネクタ２３０の高さ（厚み）Ｈ０は、上記式（１）及び（４）から、次式
Ｈ０＜２（Ｄ１−Ｈ３）−Ｔｓ    （６）
に示す制約も受ける。本実施形態において、Ｈ３＝１．５ｍｍである。この場合、Ｈ０＝４．０ｍｍは、上記式（１）の制約を満足する。
【００２５】
このように本実施形態では、コネクタ２３０の高さ（厚み）Ｈ０は上記式（２）、（４）及び（６）に示す制約を受ける。この制約により、本実施形態ではコネクタ２３０の高さＨ０が上記４．０ｍｍに設定される。
【００２６】
一方、サブ基板２４０の下面２４６に配置される部品２４２の高さＨ２は例えば２．８ｍｍである。ここで部品２４２は、サブ基板２４０の下面２４６のうち、上ケース１１１の側部２１２側に位置するサブ基板２４０の端部に配置（実装）される。この場合、もしも部品２４２の位置がメイン基板２２０に対応するならば、サブ基板２４０を実装することはできない。このことは、上記特定状態において、メイン基板２２０の上面２２１とサブ基板２４０の下面２４６との間の間隔Ｄ２（＝１．５ｍｍ）が部品２４２の高さＨ２（＝２．８ｍｍ）を下回るように、コネクタ２３０の高さＨ０（＝４．０ｍｍ）が選定されていることを意味する。
【００２７】
そこで本実施形態では、部品２４２は、上記特定状態において、サブ基板２４０の下面２４６の、メイン基板２２０から外れる箇所に位置付けられている。これにより、Ｄ２＜Ｈ２であっても、当該部品２４２を含むデジタルチューナユニット２４４が搭載されたサブ基板２４０を実装することができ、筐体１１を一層薄くすることができる。
【００２８】
本実施形態では、メイン基板２２０の最も右側の端部は、部品２４２よりもコネクタ２３０寄りに位置している。ここで、筐体１１内を有効に利用するためにメイン基板２２０のサイズを大きくすることを想定する。更に具体的に述べるならば、メイン基板２２０が、少なくともキーボード載置部２１０に対応する位置から、当該キーボード載置部２１０と上記側部２１２（つまり上記一対の側部のうちの一方の側部）との間の上記上壁２１１に対応する位置に亘って実装されることを想定する。この場合、メイン基板２２０の最も右側の端部は筐体１１の右側面（上ケース１１１の側部２１２）に近付き、部品２４２よりもコネクタ２３０から離れた箇所に位置する。この状態では、サブ基板２４０をコネクタ２３０に装着できない。その理由は、Ｄ２＜Ｈ３であるためである。そこで、このような場合、部品２４２など、サブ基板２４０の下面２４６に配置される部品のうち、部品２４２のような高さがＤ２を超える部品が配置されている領域に対応（対向）するメイン基板２２０の箇所を切り欠いて、部品２４２をメイン基板２２０よりも下ケース１１２の方向に突出させれば良い。
【００２９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。
【図面の簡単な説明】
【００３０】
【図１】本発明の一実施形態に係るパーソナルコンピュータの外観を示す斜視図。
【図２】図１におけるＡ−Ａ線に沿う要部の断面図。
【符号の説明】
【００３１】
１０…パーソナルコンピュータ、１１…筐体、１３…キーボード、１１１…上ケース、１１１ａ，１１１ｂ…非キーボード部、１１１ｃ…パームレスト、１１２…下ケース、２１０…キーボード載置部、２１１…上壁、２１２…側部（一方の側部）、２２０…メイン基板、２３０…コネクタ、２４０…サブ基板、２４０ａ…コネクタ部、２４１…第１の部品、２４２…第２の部品、２４３…第３の部品、２４４…デジタルチューナユニット。
【図１】
2007122625.tif 000003
【図２】
2007122625.tif 000004